(57)【要約】【課題】  コンテナの支持高さを広い範囲で変更し調節することができ、構造が簡単で抵コストであり、脚部ごとに独立して高さ調節ができるという好ましいコンテナ支持架台を提供する。【解決手段】  コンテナ支持架台１は、複数の支持脚３・４を用いてコンテナ５を高さ変更可能に設置できる支持手段である。各支持脚３・４が、１台のジャッキ１０を有し、その上部または下部に１以上のブロック２０が直列に積み重ねて連結され得るよう構成されている。とくに、支持脚３として、ジャッキ１０の下端にブロック２０と連結され得る下部連結部材１４を有するとともに、ジャッキ１０の上端に、コンテナ５のコーナーキャスティング５ａに下方から挿入されて連結され得る突起３０を含む上部連結部材１５を有するものが使用されると好ましい。【選択図】  図２
2019064731.tif 000002
【特許請求の範囲】
【請求項１】
複数の支持脚を用いてコンテナを高さ変更可能に設置するコンテナ支持架台であって、
各支持脚が、１台のジャッキを有し、その上部または下部に１以上のブロックが直列に積み重ねて連結され得るよう構成されていることを特徴とするコンテナ支持架台。
【請求項２】
上記支持脚のいずれかが、上記ジャッキの下端に、上記ブロックと連結され得る下部連結部材を有するとともに、上記ジャッキの上端に、コンテナのコーナーキャスティングに下方から挿入されて連結され得る突起が取り付けられた上部連結部材を有することを特徴とする請求項１に記載したコンテナ支持架台。
【請求項３】
上記支持脚が、コンテナの底部のうち長さ方向の一側にある２箇所のコーナーキャスティングに上記突起を挿入してそれぞれ配置されるとともに、上部連結部材同士または下部連結部材同士が、コンテナの幅方向に延びた横向き水平部材により接続されていることを特徴とする請求項２に記載したコンテナ支持架台。
【請求項４】
上記支持脚が、コンテナの底部のうち幅方向の一側にある２箇所のコーナーキャスティングに上記突起を挿入してそれぞれ配置されるとともに、上部連結部材または下部連結部材に、コンテナの長さ方向に延びていてコンテナの下部に連結された縦向き水平部材が接続されていることを特徴とする請求項２または３に記載したコンテナ支持架台。
【請求項５】
コンテナの底部における４箇所のコーナーキャスティングに上記各突起が挿入されて上記支持脚が４組配置されていることを特徴とする請求項２〜４のいずれかに記載したコンテナ支持架台。
【請求項６】
コンテナの底部における４箇所のコーナーキャスティングに上記各突起が挿入されて上記支持脚が４組配置されているとともに、
１台のジャッキの上部または下部に１以上のブロックが直列に積み重ねて連結され得るよう構成され、コーナーキャスティングに挿入されて連結され得る突起が取り付けられていない支持脚が、コーナーキャスティング以外の箇所でコンテナの下部に１組以上配置されていることを特徴とする請求項５に記載したコンテナ支持架台。
【請求項７】
上記支持脚の接地面に、各接地面よりも大きい底面積を有する敷板部材が、位置変更可能に取り付けられていることを特徴とする請求項１〜６のいずれかに記載したコンテナ支持架台。
【請求項８】
上記ジャッキが、昇降用のネジを手回しハンドルで回す形式のキリンジャッキであることを特徴とする請求項１〜７のいずれかに記載したコンテナ支持架台。
【発明の詳細な説明】
【技術分野】
【０００１】
請求項に係る発明は、地面上または床面上の適切な高さにコンテナを安定的に設置するために使用するコンテナ支持架台に関するものである。
【背景技術】
【０００２】
コンテナは、よく知られているように、貨物の輸送や保管に使用される容器である。輸送や保管のためには、倉庫や工場、トラック等からコンテナ内に貨物を搬入したり、または逆にコンテナ内から倉庫等に貨物を搬出する作業が必要になる。
【０００３】
倉庫等とコンテナとの間で貨物の搬入・搬出を能率的に行うためには、倉庫等の床面とコンテナの床面との高さを等しくし、双方の床面を近づけておくことが望ましい。搬入・搬出する貨物の数量が多い場合や、同一のコンテナを同じ場所に長期間設置して搬入・搬出を繰り返すような場合には、そのようにすることがとくに重要である。コンテナを水平にし安定した状態におくことも、設置期間が長い場合には当然ながら欠かせない事項である。
【０００４】
地上の適切な高さにコンテナを設置する架台として、特許文献１に記載のものがある。図６は、その文献１に記載されているコンテナ支持フレームの全体図である。４本の支持脚の下部に、下向きに出し入れされる支持足が付設されていて、それが出し入れされることにより上部の水平フレームを昇降させることができる。左右一対の支持脚について支持足の出し入れを連動させるギヤセットが内蔵されていて、ハンドル等でそれを操作することにより、左右一対の支持足が連動して水平フレームを昇降させる仕組みである。
この文献１の支持フレームは、トレーラーにより輸送されたコンテナを、上記の水平フレーム上に載せた状態で水平フレームとともに上昇させ持ち上げることによって、水平フレームの下からトレーラーを引き出すことを可能にする。コンテナを同じ場所に長期間とどめておく場合に、トレーラーを他のコンテナ等の輸送に使用できるようにし、トレーラーの運用効率を高めることができる。
【先行技術文献】
【特許文献】
【０００５】
【特許文献１】実用新案登録第３１７５７４４号公報
【発明の概要】
【発明が解決しようとする課題】
【０００６】
特許文献１に記載の支持フレームは、地上の適切な高さにコンテナを支持するものではあるが、そのコンテナと倉庫等との間で貨物を搬入・搬出するうえでは、十分に役立つとは言いがたい。それは、下記の点に理由がある。
イ）  その支持フレームは、トレーラー上にあったコンテナを少し持ち上げてトレーラーから引き取り、トレーラーの代わりに地上でコンテナを支持するものであるから、支持するコンテナの高さの範囲が限られている。コンテナの高さを任意に変更して、倉庫や工場、トラック等との間で床面の高さを一致させることができないと、支持したコンテナに対する貨物の搬入・搬出をスムーズに行うことは難しい。
ロ）  コンテナの底面全域に及ぶ水平フレームを設けるなど、支持フレームの構造が大がかりで、高コストである。倉庫等の付近に多数のコンテナを長期間設置しようとする場合には同時に多数の支持フレームが必要になることを考慮すると、よりコンパクトで簡易な低コストの支持手段が望ましい。
ハ）  高さ調節のためには、ハンドル等でギヤセットを操作することにより左右一対の支持足を連動して出し入れさせるようになっているが、それでは、コンテナを必ず安定的に設置できるとは限らない。コンテナの設置箇所が平坦でない場合等には、それぞれの脚部が独立して高さ（長さ）調節され得るものである必要がある。そうでないと、コンテナの設置前に、設置箇所を平坦かつ水平にする作業が必要になる。
【０００７】
請求項に係る発明は、以上のような点を考慮してなしたもので、コンテナの支持高さを広い範囲で変更することができる、構造が簡単で抵コストの支持手段であり、脚部ごとに独立して高さ調節ができるという、好ましいコンテナの支持架台を提供するものである。
【課題を解決するための手段】
【０００８】
本発明は、複数の支持脚を用いてコンテナを高さ変更可能に設置するコンテナ支持架台であって、各支持脚が、１台のジャッキを有し、その上部または下部に１以上のブロックが直列に積み重ねて連結され得るよう構成されていることを特徴とする。ジャッキは、ネジ式や歯車式、手動式、電動式、油圧式のものなど、各種形式のものが使用できる。ブロックとしては、コンテナ等の重量を支えられるよう硬質プラスチックや金属等でできたものを使用するとよい。
支持脚の一例を図１に示す。図では符号１０がジャッキであり符号２０がブロックである。ブロックが連結され得る構造であればよいので、上記の支持脚には、ブロックの数がゼロの場合も含まれる。図２には、支持脚を６組使用したコンテナ支持架台の例を示している。
発明によるコンテナ支持架台は、ジャッキとそれに連結され得るブロック等からなる支持脚を主な構成要素とする、構造の簡単な低コストのものである。このような支持脚をコンテナの底部に配置すると、積み重ねて連結するブロックの数とジャッキの昇降（伸縮）量とによって、コンテナの支持高さを広い範囲で変更し適切に調節することができる。ブロックの数によって支持高さを大きく（たとえば１００ｍｍ単位で）変更でき、ジャッキの伸縮量によって高さを微調整できるからである。
コンテナの底部の複数箇所に上記支持脚を配置したうえ、それぞれについてブロックの数とジャッキの伸縮量とを設定すれば、当然ながら支持脚ごとに独立して高さ調節をすることができる。支持脚ごとに独立して高さ調節ができるなら、コンテナの設置箇所が水平でなく、または平坦でない場合にも、コンテナを水平に、かつ安定的に設置することが可能である。つまり、設置面の水平度や平坦度を問わず、倉庫や工場、トラック等の床面の高さに合わせた好ましい高さにして、コンテナを設置できるわけである。
【０００９】
発明のコンテナ支持架台については、上記支持脚のいずれかが、ジャッキの下端に、ブロックと連結され得る下部連結部材を有するとともに、ジャッキの上端に、コンテナのコーナーキャスティングに下方から挿入されて連結され得る突起が取り付けられた上部連結部材を有しているのが好ましい。なお、コーナーキャスティングは、コンテナの隅角部８箇所に設けられたボックス状の金具であり、側面と上面または下面に穴があいていてコンテナの連結や吊り上げ等の際に利用される。
図１に例示した支持脚では、符号１５が上部連結部材であり、その上端に突起３０が取り付けられる。突起３０は、コーナーキャスティング（の穴）に挿入され、その穴から抜け出ないようにピン（図３の符号３３）にて連結される。また、図１中の符号１４が下部連結部材であり、ボルトナット類によって任意の数のブロック２０（２１・２２・…）と連結される。
支持脚がこのような突起付きの上部連結部材を有していると、コンテナの底部の４隅にあるコーナーキャスティングのそれぞれに支持脚を連結することができる。支持脚を、コーナーキャスティングの真下に配置するだけでなくそれと連結ができると、クレーンやフォークリフト等を用いてコンテナを持ち上げるとき、連結された支持脚を一緒に持ち上げることが可能である。そうして支持脚を地上面から浮かせると、下部連結部材の下に連結するブロックの数を容易に変更することができ、各支持脚の長さ（すなわちコンテナの支持高さ）の変更を短時間に簡単に行うことができる。
【００１０】
さらに、上記支持脚（上記の突起を有するもの）が、コンテナの底部のうち長さ方向の一側にある２箇所（つまりコンテナの底部で幅方向（短辺方向であり横方向）に並んだ隅角部）のコーナーキャスティングに上記突起を挿入してそれぞれ配置されるとともに、上部連結部材同士または下部連結部材同士が、コンテナの幅方向に延びた横向き水平部材により接続されていると好ましい。
横向き水平部材は、横向きすなわちコンテナの幅方向に延びたもので、図２の例では符号４０の部材である。鉄鋼等の金属でできた高剛性のものが適している。
上記した支持脚をコンテナの底部に複数組連結するだけでは、コンテナに横向きの外力が作用したとき等に不安定になる可能性がある。しかし、コンテナの幅方向に並んで立つ２組の支持脚について、上部連結部材同士または下部連結部材同士がこのように横向き水平部材で接続されていると、横向きの外力を受けても支持脚が傾きにくく、したがってコンテナが不安定になることが効果的に防止される。
【００１１】
また、上記支持脚（上記の突起を有するもの）が、コンテナの底部のうち幅方向の一側にある２箇所（つまりコンテナの底部で長さ方向（長辺方向であり縦方向）に並んだ隅角部）のコーナーキャスティングに上記突起を挿入してそれぞれ配置されるとともに、上部連結部材または下部連結部材に、コンテナの長さ方向に延びていてコンテナの下部（たとえば床下のフレーム）に連結された縦向き水平部材が接続されているのも好ましい。
縦向き水平部材は、縦向きすなわちコンテナの長さ方向に延びたもので、図２の例では符号５０の部材である。やはり鉄鋼等の金属でできた高剛性のものが適している。
上述のように、支持脚をコンテナの底部に複数組連結するだけでは、コンテナに縦向きの外力が作用したとき等に不安定になる可能性がある。しかし、上部連結部材同士または下部連結部材同士に、上記のようにコンテナの下部に連結された縦向き水平部材が接続されるなら、縦向きの外力を受けても支持脚が傾きにくいため、コンテナを安定的に保つことができる。
【００１２】
とくに、上記支持脚（上記の突起を有するもの）が、コンテナの底部における４箇所のコーナーキャスティングに上記各突起を挿入した状態で４組配置されていると好ましい。
発明によるコンテナ支持架台は、１組の支持脚のみではコンテナを支持することができない。一部を他の架台や支持手段に預ける場合を除けば、地面等の上に安定的にコンテナを設置するためには、少なくとも４組の支持脚をそれぞれコーナーキャスティングに連結して使用することか必要である。そのような点から、上記した支持脚の４組をセットにして、各組の支持脚（の突起）をコーナーキャスティングに連結して配置するのが、コンテナ支持架台としての一般的かつ効果的な使用法だといえる。
【００１３】
また、上記支持脚（上記の突起を有するもの）が、コンテナの底部における４箇所のコーナーキャスティングに上記各突起を挿入した状態で４組配置されているとともに、上記の突起を有しない支持脚（すなわち、１台のジャッキの上部または下部に１以上のブロックが直列に積み重ねて連結され得るよう構成され、コーナーキャスティングに挿入されて連結され得る突起が取り付けられていない支持脚）が、コーナーキャスティング以外の箇所でコンテナの下部（たとえば床下のフレーム）に１組以上配置されているのもよい。
上述のとおり、コンテナを安定的に設置するには少なくとも４組の支持脚をコーナーキャスティングに連結して使用するのが一般的である。しかし、コンテナの大きさや貨物重量等によっては、より多くの支持脚を使用するのがさらに好ましい場合がある。そのような場合、コーナーキャスティングはコンテナの隅角部にしかないため、上記のように、突起が取り付けられていない支持脚をコーナーキャスティング以外の箇所でコンテナの下部に配置するとよい。それによって、寸法または重量の大きいコンテナを特に安定的に設置することができる。
【００１４】
上記支持脚の接地面に、各接地面よりも大きい底面積を有する敷板部材が、支持脚に対する位置を変更できるように取り付けられているとさらに有利である。
敷板部材は、図３・図５の例では符号６０の部材である。
支持脚の接地面に上記のとおり大面積の敷板部材が取り付けられると、コンテナの重量が地上の広い面積に分散して作用するため、地面のコンクリートが割れる等の不都合が生じにくい。しかし、その敷板部材が支持脚の最下面（ジャッキの下面や最下段のブロックの下面）に対して常に同じ位置に取り付けられるなら、好ましくない場合がある。倉庫や工場、トラック等との間での貨物の搬入・搬出を行いやすくするにはコンテナの床を倉庫等の床にできるだけ近づけるのが有利だが、支持脚の四方に敷板部材が広がっていると、それが倉庫等の一部に当たってその床にコンテナを最接近させることができないことがある。その点、支持脚に対して敷板部材が位置変更可能に取り付けられるなら、倉庫等の構造にかかわらず、その床にコンテナを最接近させて設置することが可能になる。
【００１５】
支持脚の一部である上記ジャッキが、昇降用のネジを手回しハンドルで回す形式のキリンジャッキであるのがとくに好ましい。
図１に例示した支持脚に使用したジャッキも、その形式のキリンジャッキであり、図には両ネジ式のものを示している。
キリンジャッキは構造が簡単であるため、支持脚を軽量化し低コスト化するうえで好ましい。また、発明によるコンテナ支持架台は、所定の位置にコンテナを設置して高さ調節を完了すれば、つぎに新たなコンテナを設置するときまで通常は再度高さ調節をする必要はない。したがってジャッキを昇降操作する頻度も高くないため、手回しハンドル形式のキリンジャッキであっても、操作上とくに不便がともなうことにはならない。
【発明の効果】
【００１６】
発明のコンテナ支持架台は、構造が簡単で抵コストのものでありながら、コンテナの支持高さを広い範囲で変更することができ、また、支持脚ごとに独立して高さ調節することができる。したがって、倉庫や工場、トラック等の床面の高さに合わせた好ましい高さにコンテナを設置することができ、しかも、設置箇所が水平でなく、または平坦でない場合にも、その設置箇所を整備することなく、短時間でコンテナを水平に安定的に設置することを可能にする。
コンテナの支持高さは、連結するブロックの数とジャッキの伸縮量とによって変更・調節できる。それに関し、ブロックと連結され得る下部連結部材をジャッキの下端に設け、コンテナのコーナーキャスティングに突起が挿入されて連結される上部連結部材をジャッキの上端に設けることにより、上記ブロックの数の変更を容易に行うことができる。
支持架台としては、コンテナのコーナーキャスティングのそれぞれに連結して支持脚を複数組使用するのが効果的である。しかし、単に複数の支持脚を使用するのみでなく、各支持脚における上部連結部材または下部連結部材に横向きまたは縦向きの水平部材を接続するなら、コンテナの支持に関する安定性がさらに向上する。また、コーナーキャスティング以外の箇所にも支持脚を配置することにより、寸法や重量の大きいコンテナを特に安定的に設置することが可能になる。
支持脚の接地面に敷板部材を取り付けると、コンテナの荷重を分散させることができて好ましい。とくに、その敷板部材が支持脚に対して位置変更可能に取り付けられると、倉庫等に対して好ましい位置関係にコンテナを設置することができる。
なお、いわゆるキリンジャッキを上記ジャッキとして使用すると、コンテナ支持架台を構造がとくに簡単で低コストのものにすることができる。
【図面の簡単な説明】
【００１７】
【図１】発明の実施例を示す図であって、図１は、基本となる支持脚２を示す正面図である。
【図２】コンテナ支持架台１によってコンテナ５を支持した状態を示す図であって、図２（ａ）は側面図、同（ｂ）は正面図である。
【図３】コンテナ５と支持脚３・４等を示す詳細図であって、図３（ａ）・（ｂ）のそれぞれは、図２におけるIIIa・IIIbの拡大図である。
【図４】コンテナ５と支持脚３との接続状態を示す詳細図であって、図３におけるIV−IV断面図である。
【図５】コンテナ５の高さを変更するためにブロック２０の数を変更した状態を示す支持脚３等の側面図である。図５（ａ）・（ｂ）・（ｃ）は、ブロック２０をそれぞれ２段・１段・０段（連結せず）だけ連結した状態を示している。
【図６】特許文献１に記載されたコンテナ用支持フレームを示す斜視図である。
【発明を実施するための形態】
【００１８】
発明の実施例を図１〜図５に示す。
コンテナ支持架台１は、図２のように、複数組の支持脚２を用いて地面Ｇ上の任意の高さにコンテナ５を支持するものである。図２は、コンテナ５内の貨物を倉庫のフロアＦに対して搬出等しやすいよう、支持架台１が支持するコンテナ５を、床面の高さを当該倉庫のフロアＦの高さに一致させるとともに、その床面を倉庫のフロアＦに接近させて設置した状態を示している。
【００１９】
コンテナ支持架台１に使用する支持脚２は図１の構造を基本とするもので、図１（ａ）に示すジャッキ１０に、必要に応じて同（ｂ）のブロック２０や同（ｃ）の突起３０等を接続して使用する。
【００２０】
図１（ａ）に示すジャッキ１０は、いわゆる両ネジ式のキリンジャッキである。互いに逆向きの雄ネジを上下に有するとともに手回し操作用のハンドルが取り付けられた雄ネジ体１１と、その雄ネジに結合している上下の雌ネジ体１２・１３とを主要部としている。ハンドルを操作して雄ネジ体１１を回転させることにより、ジャッキ１０の長さ（高さ方向の寸法）を変化（伸縮）させることができる。この例では最大変化量が１４０ｍｍのジャッキ１０を使用している。
雌ネジ体１２の下には、下面および側面に他の部材との連結用の穴を有する下部連結部材１４を取り付け、また雄ネジ体１１の上には、上面および側面に他の部材との連結用の穴を有する上部連結部材１５を取り付けている。
【００２１】
図１（ｂ）に示すブロック２０は、硬質プラスチックでできた直方体の箱型のもので、上下面および側面に、他の部材との連結用の穴を有している。それらの穴とボルトナット等を用いることにより、ジャッキ１０の下部連結部材１４の下にブロック２０を連結することができる。また、ブロック２０の下に、同様にしてさらに別のブロック２０を直列に積み重ねて連結することも可能である。ブロック２０として、この例では、１つ（１段）の高さが１００ｍｍのものを複数個用意してある。
図１（ｃ）の突起３０は、上部の筒状体３１とその下部に一体化された取付け板３２とでできた鉄製部品である。筒状体３１は上向きに延びたもので、コンテナ５の隅角部にあるコーナーキャスティング５ａ（図２・図３を参照）の下面の穴に挿入され得る大きさを有している。ジャッキ１０の上部連結部材１５の上面にボルトナット等で取付け板３２を取り付けることにより、突起３０を支持脚２の最上部に固定することができる。なお、筒状体３１の側面には、後述のピン３３（図３を参照）を通すことのできる水平な貫通孔が設けてある。
【００２２】
図２（ａ）（ｂ）に示すコンテナ支持架台１には、図１の支持脚２を合計６組使用している。すなわち、図１の支持脚２に突起３０を取り付けて構成した支持脚３を、コンテナ５の底部の隅角部にあるコーナーキャスティング５ａの下に１組ずつ合計４組配置し、図１の支持脚２に突起３０を取り付けずに構成した支持脚４を、コンテナ５の長さ方向中央部の２箇所で床下フレーム５ｂの下に合計２組配置している。
支持脚３は、図１（ａ）の支持脚２における下部連結部材１４の下に、同（ｂ）のブロック２０を幾つか（０個の場合を含む）連結するとともに、上部連結部材１５の上に突起３０を取り付けたものである。突起３０は、後述（図３を参照）のようにコーナーキャスティング５ａの穴に挿入し、ピン３３でそれに連結して使用する。
一方の支持脚４は、支持脚３と同様に図１の支持脚２にブロック２０を幾つか（０個を含む）連結したものではあるが、上部に突起３０を取り付けてはいない。図２（ａ）のようにコンテナ５の床下フレーム５ｂに上部連結部材１５の上面を押し当てて使用する。
【００２３】
コンテナ５を図２のように設置するにあたり、地面Ｇは水平であるとは限らず、また多少の凹凸があるのが通常である。コンテナ支持架台１でコンテナ５を支持する場合、地面Ｇの水平度や凹凸を修正することなく、床面を水平にしてコンテナ５を安定的に設置することが望ましいため、支持脚３・４は、それぞれ独立して長さ（高さ方向の寸法）を調節できるようにしている。地面Ｇの傾きや凹凸に合わせて各支持脚３・４の長さを調節することにより、コンテナ５（の床面）を水平かつ安定的に支持できるからである。
また、倉庫のフロアＦ等の高さは一律でなく、倉庫や工場等によって大幅に異なることが多いため、各支持脚３・４の長さ調節は広い範囲で行える必要がある。
【００２４】
支持脚２を基本とする支持脚３・４に、上記のとおりジャッキ１０を含めるとともにブロック２０を連結できるように構成したのは、上記のようにそれぞれの長さ調節を広い範囲で行えるようにするためである。下部連結部材１４の下にブロック２０を直列に１段連結するごとに支持脚３・４の長さを１００ｍｍ長くすることができ、逆に１段取り除くごとに１００ｍｍ短くすることができる。図２・図３の例では、各支持脚３・４に３段のブロック２０を連結している。また、ジャッキ１０の雄ネジ体１１を操作すると、最大１４０ｍｍ（±７０ｍｍ）の範囲で支持脚３・４の長さを微調整することができる。そのようにして各支持脚３・４の長さ調節を実施できることから、コンテナ支持架台１によれば、どのような地面Ｇ上にも水平かつ安定的にコンテナ５を設置することができ、その床面の高さを広い範囲で変更することが可能である。
【００２５】
支持脚３の詳細を図３（ａ）（ｂ）に示す。支持脚３は、前述のとおり、図１の支持脚２を基本とし、ジャッキ１０の上部連結部材１５の上に突起３０を取り付けるとともに、下部連結部材１４の下にブロック２０（図示の例ではブロック２１・２２・２３の合計３段）を連結したものである。
【００２６】
各支持脚３の突起３０は、コンテナ５の底部４隅にあるコーナーキャスティング５ａの下面の穴に挿入し連結する。その連結のためには、コーナーキャスティング５ａの側部の穴からピン３３を挿入し、それを突起３０の貫通孔に通すこととしている。ピン３３に十分な長さをもたせているため、その状態でクレーン（図示せず）等によりコンテナを持ち上げると、突起３０がコーナーキャスティング５ａから抜け出ることがなく、したがって支持脚３がコンテナ５とともに持ち上げられる。ピン３３には、図３（ｂ）に示すように抜け止め片３３ａが付属していて、ピン３３を貫通孔に通したうえコーナーキャスティング５ａ内で特定角度まで回転させておけば、ピン３３は、その抜け止め片３３ａの作用により、突起３０から脱落することがない。
【００２７】
各支持脚３には、さらに下記の構成を付加している。すなわち、
a)  コンテナ５の幅方向（図２（ｂ）の左右方向）に並ぶ２箇所のコーナーキャスティング５ａの下に配置する２組の支持脚３については、図２（ｂ）および図３（ａ）のように、横向き水平部材４０により上部連結部材１５同士を接続している。この部材４０は鉄製の角パイプであり、それと上部連結部材１５のそれぞれとは、ボルトナット４１によって接続する。こうして左右の支持脚３同士を横向き水平部材４０で接続することにより、コンテナ５に側方から外力が作用しても支持脚３が倒れないよう、支持架台１の強度を高めることができる。
【００２８】
b)  コンテナ５の長さ方向（図２（ａ）の左右方向）に並ぶ２箇所のコーナーキャスティング５ａの下に配置する２組の支持脚３については、図２（ａ）および図３（ｂ）のように、縦向き水平部材５０によって上部連結部材１５とコンテナ５の床下フレーム５ｂとを接続している。縦向き水平部材５０は鋼板製の部材であって図４のように使用し、その部材５０と上部連結部材１５とをボルトナット５１で接続し、部材５０と床下フレーム５ｂとをボルトナット５２で接続する。この部材５０で各支持脚３と床下フレーム５ｂとを接続することにより、支持架台１の強度を高めて、コンテナ５の前後方向から外力が作用しても支持脚３が倒れないようにすることができる。
【００２９】
c)  図３（ａ）（ｂ）のように、各支持脚３（および各支持脚４）の接地面に敷板部材６０を取り付けている。敷板部材６０は、１０ｍｍ程度以上の厚さを有する鋼板と、その上面に取り付けたＬ形鋼とでできたものである。下部連結部材１４やブロック２０の下面が１辺２００ｍｍ程度の正方形であるのに対し、敷板部材６０は１辺が４００ｍｍ程度の正方形であり面積が大きい。この敷板部材６０は、最も下に取り付けたブロック２０の下面、またはブロック２０を取り付けない場合の下部連結部材１４の下面に、位置の変更ないし選択を可能としてボルトナット６１により取り付けることができる。
支持脚３・４の接地面に大面積の敷板部材６０を取り付けると、コンテナ５等の重量が広く分散して地面Ｇに作用するため、地面Ｇのコンクリートが割れる等の不都合が生じにくい。また、支持脚３に対する敷板部材６０の位置を変更できるため、図２（ａ）の右端部分および図３（ｂ）のように、コンテナ５の外側にはみ出ないよう内側寄りにずらして（偏心させて）敷板部材６０を取り付けることも可能である。そのようにすると、当該支持脚３を倉庫のフロアＦの脚部Ｆａに極力近づけて配置できる結果、コンテナ５の床面と倉庫のフロアＦとの間の隙間を最小限にすることができ、貨物を移動させるうえで好都合である。
【００３０】
コンテナ支持架台１によって、コンテナ５を図２のように、倉庫のフロアＦに接近した地面Ｇ上の好ましい位置で好ましい高さに設置するための手順は、つぎのとおりである。
1)  支持脚３として、上部連結部材１５の上に突起３０を取り付けるとともに、適切であると予想される段数のブロック２０を下部連結部材１４の下に連結し、接地面の好ましい位置に敷板部材６０を取り付けたものを、４組用意しておく。また、同様の構造ではあるが突起３０を取り付けない支持脚４を２組用意する。
2)  コンテナ５を、クレーン（図示せず）またはフォークリフト（同）等を用いて設置場所付近に運び、地面Ｇから浮かせた状態で、底部の４箇所の各コーナーキャスティング５ａの下に支持脚３を連結する。その連結のためには、各支持脚３の突起３０を各コーナーキャスティング５ａに下方の穴から挿入し、側方の穴から突起３０にピン３３を挿通したうえ回転させて、抜け止め辺３３ａによる抜け止めを図る。
【００３１】
3)  コンテナ５を一旦地面Ｇ上（設置場所）に降ろし、ジャッキ１０を操作することによって各支持脚３の高さ（長さ）を調節する。コンテナ５の床面が、倉庫のフロアＦの高さに等しく、かつ水平になるよう、支持脚３ごとに高さ調節を行う。
4)  ジャッキ１０の長さ（伸縮量）を調節するのみではコンテナ５の床面高さを倉庫のフロアＦに一致させることができず、または水平にすることができない場合には、積み上げるブロック２０の段数を変更する。それには、支持脚３を取り付けたコンテナ５をクレーン等で再度持ち上げ、地面Ｇ上に浮かせた状態の支持脚３についてブロック２０を追加し、または取り外す。
5)  コンテナ５を地面Ｇ上に降ろし、ジャッキ１０を操作することにより上記3)と同様に各支持脚３の高さ調節を行う。必要であれば、4)・5)の作業を繰り返す。
【００３２】
6)  上記5)によってコンテナ５の床面が倉庫のフロアＦの高さに一致し水平になったなら、コンテナ５の幅方向に並ぶ２組の支持脚３について上部連結部材１５同士を横向き水平部材４０によって接続する。また、長さ方向に並ぶ２組の支持脚３について、上部連結部材１５とコンテナ５の床下フレーム５ｂとの間を縦向き水平部材５０によって接続する。
7)  突起３０を取り付けていない２組の支持脚４を、コンテナ５の長さ方向の中央部分であって幅方向に並ぶ位置で、床下フレーム５ｂの下に配置する。各支持脚４には適切な段数のブロック２０を取り付けておき、ジャッキ１０を伸長させることにより、上部連結部材１５を床下フレーム５ｂに押し当てる。
【００３３】
上記4)の手順を経るなどしてブロック２０の段数を変更した場合の支持脚３を、図５（ａ）（ｂ）（ｃ）に例示する。いずれも、倉庫のフロアＦの高さにコンテナ５の床面の高さを一致させるためにブロック２０の段数を変更したものである。
図５（ａ）は、ブロック２０として２段（ブロック２１・２２）を連結した例であり、同（ｂ）は１段（ブロック２１）のみを連結した例、同（ｃ）は、ブロックを１段も連結していない例である。同（ｃ）の場合、敷板部材６０は下部連結部材１４に取り付けることになる。
【００３４】
以上、図面にしたがって発明の実施例を示したが、コンテナ５が小型または軽量である場合には、４組の支持脚３をコーナーキャスティング５ａの下に配置するのみでよく、中央部分等に支持脚４を配置する必要がないことがある。
また、図２等には倉庫のフロアＦに近づけてコンテナ５を設置する例を示したが、倉庫のフロアに限らず、工場の床や各種の作業台、搬送装置等の上面、あるいはトラックの荷台等に接近させ床面の高さを合わせてコンテナ５を設置する場合にも、発明のコンテナ支持架台は効果的に使用することができる。
【符号の説明】
【００３５】
１  コンテナ支持架台
２・３・４  支持脚
５  コンテナ
５ａ  コーナーキャスティング
５ｂ  床下フレーム
１０  ジャッキ
１４  下部連結部材
１５  上部連結部材
２０（２１・２２・２３）  ブロック
３０  突起
４０  横向き水平部材
５０  縦向き水平部材
６０  敷板部材
【図１】
2019064731.tif 000003
【図２】
2019064731.tif 000004
【図３】
2019064731.tif 000005
【図４】
2019064731.tif 000006
【図５】
2019064731.tif 000007
【図６】
2019064731.tif 000008